(57)【要約】      （修正有）【課題】取り付け構造が簡単で、分解後の洗浄或いはメンテナンスに便利な対流ファンを提供する。【解決手段】対流ファンはネットカバー、ブレード、モーターを有する。ネットカバー１００は前ネット１０１、中枠１０２、後ネット１０３により構成される。モーターはモーター固定部材を通して中枠の幾何中心に固定され、且つ前ネット、後ネットとは完全に相互接触しない。モーター固定部材は固定板と放射状ポストを有する。放射状ポストの一端は中枠の内側に固定され、反対端は固定板に固定される。放射状ポストは固定板の周囲に分布する。モーターは固定板に設置され、ブレードは固定板と前ネットとの間に設置される。前ネット或いは後ネットを洗浄する時には、構成部材を分解するだけでよく、分解時にモーター及びその付属回路に触れたり、移動させたりする必要はない。【選択図】図１
0003205280.tif 000002
【実用新案登録請求の範囲】
【請求項１】
対流ファンであって、ネットカバー、ブレード、モーターを有し、
前記ネットカバーは、前ネット、中枠、後ネットにより構成され、
前記モーターはモーター固定部材を通して、前記中枠の幾何中心に固定され、且つ前記前ネット、前記後ネットとは完全に相互接触せず、前記モーターは、前記ブレードの回転運動を駆動し、
前記モーター固定部材は、固定板と放射状ポストを有し、前記放射状ポストの一端は、前記中枠の内側に固定され、反対端は、前記固定板に固定され、若干の前記放射状ポストは、放射状を呈し、前記固定板の周囲に分布し、前記モーターは、前記固定板に設置され、前記ブレードは、前記固定板と前記前ネットとの間に設置されることを特徴とする対流ファン。
【請求項２】
前記固定板の中心には、中心通過孔を設置し、
前記モーターの回転軸は、前記中心通過孔を通過後、前記ブレードと接続することを特徴とする請求項１に記載の対流ファン。
【請求項３】
前記対流ファンはモーターネットカバーをさらに設置し、前記モーターを覆い、
前記モーターネットカバーは、前記モーター固定部材に固定されることを特徴とする請求項２に記載の対流ファン。
【請求項４】
前記前ネットと前記後ネットは、分解可能式のネットカバー固定部材を通して、前記中枠と接続されることを特徴とする請求項１に記載の対流ファン。
【請求項５】
前記分解可能式のキットは、係合フックと係合溝を有し、
前記係合溝は、パッキンテープの間のスペーサーに隣接し、
前記パッキンテープの一端は、前記中枠の内側壁に固定され、反対端は、前記中枠の幾何中心へと延伸し、
前記係合フックは、「Ｌ」字型構造で、前記係合フックの第一辺は、前ネット或いは後ネットの端面に垂直に固定され、第二辺と前記前ネット或いは後ネットの端面は、平行で、前記第二辺の長さと前記スペーサーの長さは同じで、前記第二辺から前ネット或いは後ネット端面までの距離と前記パッキンテープの厚さは同じであることを特徴とする請求項４に記載の対流ファン。
【請求項６】
前記パッキンテープの反対端には、位置制限テープを固定し、
前記位置制限テープの内側壁と前記中枠の内側壁との間の距離と前記第二辺の幅は同じであることを特徴とする請求項５に記載の対流ファン。
【請求項７】
前記対流ファンはサポートフレームをさらに有し、
前記中枠の左右両端は、前記サポートフレームに設置されることを特徴とする請求項１に記載の対流ファン。
【考案の詳細な説明】
【技術分野】
【０００１】
本考案は対流ファンに関する。
【背景技術】
【０００２】
日常生活で使用する対流ファンは、通常はモーターを対流ファンサポートフレーム、或いは後ネットカバー上に固定し、ブレードの回転を駆動する。
【０００３】
このような構造設計では、対流ファンを分解し、メンテナンス或いは洗浄を行う過程において、モーター及びその付属回路は重要な駆動構成部材であるため、十分に注意し、浸水や衝撃による損壊等の問題を防止しなければならない。
【０００４】
モーターが対流ファンサポートフレーム上に堅固に設置されていれば、分解時には、モーターとネットカバー全体を、対流ファンサポートフレーム上から取り外す必要がある。
特に、モーターの付属回路は、それに従い調整しなければならないため、非常に不便である。
モーターが後ネットカバー上に設置されていれば、ほこりがたまり易い後ネットカバーを洗浄する際には、やはりモーターを取り外す必要がある。
しかし、しばしば分解することで、モーターの取り付け精度と使用性能に影響を及ぼしてしまう。
【考案の概要】
【考案が解決しようとする課題】
【０００５】
前記先行技術には、しばしば分解することで、モーターの取り付け精度と使用性能に影響を及ぼしてしまう欠点がある。
【課題を解決するための手段】
【０００６】
本考案は、対流ファン内モーターの取り付け構造が簡単で、分解後の洗浄或いはメンテナンスに便利で、モーター性能を保証すると同時にオペレータの保証ができ、対流ファンの使用寿命を延長できる対流ファンに関する。
【０００７】
本考案による対流ファンは、ネットカバー、ブレード、モーターを有する。
該ネットカバーは、前ネット、中枠、後ネットにより構成される。
該モーターは、モーター固定部材を通して、該中枠の幾何中心に固定され、且つ該前ネット、該後ネットとは完全に相互接触しない。
該モーターは、該ブレードの回転運動を駆動する。
該モーター固定部材は、固定板と放射状ポストを有する。
該放射状ポストの一端は、該中枠の内側に固定され、反対端は、該固定板に固定される。
若干の放射状ポストは、放射状を呈し、該固定板の周囲に分布する。
該モーターは、該固定板に設置され、該ブレードは、該固定板と該前ネットとの間に設置される。
【０００８】
本考案による対流ファンにおいて、該固定板の中心には、中心通過孔を設置し、該モーターの回転軸は、該中心通過孔を通過後、ブレードと接続する。
【０００９】
本考案による対流ファンにはさらに、該モーターネットカバーを設置し、モーターを覆い、該モーターネットカバーは、モーター固定部材に固定される。
【００１０】
本考案による対流ファンにおいて、該前ネットと該後ネットは、分解可能なネットカバー固定部材を通して、該中枠と接続される。
【００１１】
本考案による対流ファンにおいて、分解式キットは、係合フックと係合溝を有し、該係合溝は、パッキンテープの間のスペーサーに隣接する。
該パッキンテープの一端は、該中枠の内側壁に固定され、反対端は、該中枠の幾何中心へと延伸する。
該係合フックは、「Ｌ」字型構造で、該係合フックの第一辺は、前ネット或いは後ネットの端面に垂直に固定され、第二辺と該前ネット或いは後ネットの端面は、平行である。
該第二辺の長さと該スペーサーの長さは同じで、該第二辺から該前ネット或いは該後ネット端面までの距離と該パッキンテープの厚さは同じである。
【００１２】
本考案による対流ファンは、さらに該パッキンテープの反対端に、位置制限テープを固定する。
該位置制限テープの内側壁と該中枠の内側壁の間の距離と該第二辺の幅は同じである。
【００１３】
本考案による対流ファンは、さらにサポートフレームを有し、該中枠の左右両端は、サポートフレームに設置される。
【００１４】
本考案は、対流ファンのネットカバーを前ネット、中枠、後ネットの三部分に分け、次にモーターをモーター固定部材を通して中枠に固定し、モーターの付属回路は放射状ポストの内の１個に設置し、中枠を通過して外界電源と接続する。
このような対流ファン構造は簡単で、前ネット或いは後ネットを洗浄する時には、関連する構成部材を分解するだけでよく、簡単に行うことができる。
且つ分解時には、核心構成部材であるモーター及びその付属回路に触れたり、移動させたりする必要はなく、モーターを保護することができる。
また、モーターに問題が発生したとしても、メンテナンス時には、モーターのみを探し出すだけで良い。
【図面の簡単な説明】
【００１５】
【図１】本考案の一実施形態の概略構成図である。
【図２】本考案の一実施形態の背面図である。
【図３】本考案の一実施形態による中枠の概略構成図である。
【図４】本考案の一実施形態によるモーターネットカバーの取り付け説明図である。
【図５】本考案の一実施形態によるブレードの取り付け説明図である。
【図６】本考案の一実施形態による前ネットの概略構成図である。
【図７】図６中Ａ部分の局部拡大図である。
【図８】本考案の一実施形態による枠の概略構成図である。
【図９】図８中Ｂ部分の局部拡大図である。
【考案を実施するための形態】
【００１６】
（一実施形態）
以下に図と具体的実施形態を用い、本考案の技術について説明する。
図１、図２及び図４に示す通り、対流ファンは、ネットカバー１００、ブレード２、モーター３を有する。
【００１７】
ネットカバー１００は、前ネット１０１、中枠１０２、後ネット１０３により構成される。
モーター３はモーター固定部材４００を通して、中枠１０２の幾何中心に固定され、且つ前ネット１０１、後ネット１０３とは完全に相互接触しない。
モーター３は、ブレード２の回転運動を駆動する。
【００１８】
図３、図８及び図９に示す通り、モーター固定部材４００は、固定板５と放射状ポスト６を有する。
放射状ポスト６の一端は、中枠１０２の内側に固定され、反対端は、固定板５に固定される。
若干の放射状ポスト６は、放射状を呈し、固定板５の周囲に分布する。
モーター３は、固定板５に設置され、ブレード２は、固定板５と前ネット１０１との間に設置される。
【００１９】
日常生活で使用する対流ファンは、通常はモーターを対流ファンサポートフレーム、或いは後ネットカバー上に固定し、ブレードの回転を駆動する。
このような構造設計では、対流ファンを分解し、メンテナンス或いは洗浄を行う過程において、モーター３及びその付属回路は重要な駆動構成部材であるため、十分に注意し、浸水や衝撃による損壊等の問題の発生を防止しなければならない。
【００２０】
モーター３を対流ファンサポートフレーム上に堅固に設置すれば、分解時には、モーター３とネットカバー全体を、対流ファンサポートフレーム上から取り外す必要がある。
特に、モーター３の付属回路は、それに従い調整しなければならないため、非常に不便である。
一方、モーター３が後ネットカバー上に設置されていれば、ほこりがたまり易い後ネットカバーを洗浄する際には、やはりモーター３を取り外す必要がある。
このように、しばしば分解すれば、モーター３の取り付け精度と使用性能に影響を及ぼしてしまう。
【００２１】
本考案では、対流ファンのネットカバー１００を、前ネット１０１、中枠１０２、後ネット１０３の三部分に分け、次にモーター３をモーター固定部材４００を通して中枠１０２に固定し、モーター３の付属回路は、放射状ポスト６の内の１個に設置し、中枠１０２を通過して、外界電源と接続する。
このような対流ファンは構造が簡単で、前ネット１０１或いは後ネット１０３を洗浄する時には、関連する構成部材を分解するだけでよく、簡単に行うことができる。
且つ分解時には、核心構成部材であるモーター３及びその付属回路に触れたり、移動させたりする必要はなく、モーター３を保護することができる。
モーター３に問題が発生したとしても、メンテナンス時には、モーター３のみを探し出すだけで良い。
【００２２】
固定板の中心には、中心通過孔を設置し、モーターの回転軸は、中心通過孔を通過後、ブレードと接続する。
モーター３の回転軸は、中心通過孔７を通過後、ブレード２と接続する。
このように、モーター３の大部分の重量とブレード２は、固定板５の両側に分かれるため、重量が固定板５の片側に集中し、受力のバランスが崩れる現象が起きることはない。
こうして、モーター３の回転軸とブレード２の安定的な回転を保証することができる。
【００２３】
さらに、モーターネットカバー８を設置し、モーターを覆う。
モーターネットカバー８は、モーター固定部材に固定される。
モーターネットカバー８は、モーター３を覆うため、オペレータ保護の作用を備える。
すなわち、ネットカバー１００を取り外した後、オペレータがモーター３に触れると、モーター３が電荷を帯びていれば感電してしまい、またモーター３を長時間運転した後は、その外殼には一定の熱量が集まり、火傷の恐れもある。
【００２４】
前ネット１０１と後ネット１０３は、分解可能なネットカバー固定部材４を通して、中枠１０２と接続される。
前ネット１０１と後ネット１０３と中枠１０２との間は、分解／接続可能で、対流ファンの洗浄時、専門の業者に依頼する必要なく、分解／取り外して、便利に洗浄とメンテナンスを行うことができる。
【００２５】
図５、図６、図７に示す通り、分解式キットは、係合フック９と係合溝１０を有する。
係合溝１０は、パッキンテープ１００１の間のスペーサー１１に隣接する。
パッキンテープ１００１の一端は、中枠１０２の内側壁に固定され、反対端は、中枠１０２の幾何中心へと延伸する。
係合フック９は、「Ｌ」字型構造で、係合フック９の第一辺９０１は、前ネット或いは後ネットの端面に垂直に固定され、第二辺９０２と前ネット１０１或いは後ネット１０３の端面は、平行である。
第二辺９０２の長さとスペーサー１１の長さは同じで、第二辺９０２から前ネット１０１或いは後ネット１０３端面までの距離とパッキンテープ１００１の厚さは同じである。
【００２６】
係合フック９を通して、係合溝１０との間に、分解式固定接続を実現する。
接続時には、第二辺９０２をスペーサー１１に置き、前ネット１０１或いは後ネット１０３を回転させ、パッキンテープ１００１を、第二辺９０２と前ネット１０１或いは後ネット１０３の端面との間に係合させて固定する。
【００２７】
分解時には、前ネット１０１或いは後ネット１０３を反対向きに回転させるだけでよく、このような取り付けは構造が簡単で、コストは低い。
第二辺９０２から前ネット１０１或いは後ネット１０３端面までの距離とパッキンテープ１００１の厚さは同じであるため、パッキンテープ１００１を、第二辺９０２と前ネット１０１或いは後ネット１０３の端面に嵌め入れて固定後、その上下端面と第二辺９０２下端面、前ネット１０１或いは後ネット１０３の端面との間の摩擦抵抗力により、前ネット１０１或いは後ネット１０３と中枠１０２との間の接続はいっそう堅固となる。
【００２８】
パッキンテープ１００１の反対端には、位置制限テープ１００２を固定する。
位置制限テープ１００２の内側壁と中枠１０２の内側壁との間の距離と第二辺９０２の幅は同じである。
パッキンテープ１００１を第二辺９０２と前ネット１０１或いは後ネット１０３の端面との間に嵌め入れて固定後、位置制限テープ１００２の内側壁と中枠１０２の内側壁との間の距離と第二辺９０２の幅は同じである。
すなわち、第二辺９０２の両側と中枠１０２、位置制限テープ１００２の内側壁との間には、摩擦抵抗力を生じる。
こうして、第二辺９０２固定後の安定性を向上させることができる。
且つ位置制限テープ１００２は、第二辺９０２がパッキンテープ１００１の反対端に沿って、中枠１０２の幾何中心へと滑らないよう制限する。
これにより、前ネット１０１或いは後ネット１０３と中枠１０２との間の固定が不安定となる現象を回避することができる。
【００２９】
さらに、サポートフレーム１２を有し、中枠１０２の左右両端は、サポートフレーム１２に設置される。
対流ファンのサポート点が一個だけである従来の方式とは異なり、サポートフレーム１２は、左右両端により中枠１０２、及び中枠１０２内のモーター３等構成部材を支えるため、サポートの安定性を高めることができる。
【００３０】
前述した本考案の実施形態は本考案を限定するものではなく、よって、本考案により保護される範囲は後述する実用新案登録請求の範囲を基準とする。
【符号の説明】
【００３１】
１００  ネットカバー
１０１  前ネット
１０２  中枠
１０３  後ネット
２  ブレード
３  モーター
４００  モーター固定部材
５  固定板
６  放射状ポスト
７  中心通過孔
８  モーターネットカバー
９  係合フック
９０１  第一辺
９０２  第二辺
１０  係合溝
１００１  パッキンテープ
１００２  位置制限テープ
１１  スペーサー
１２  サポートフレーム
【図１】
0003205280.tif 000003
【図２】
0003205280.tif 000004
【図３】
0003205280.tif 000005
【図４】
0003205280.tif 000006
【図５】
0003205280.tif 000007
【図６】
0003205280.tif 000008
【図７】
0003205280.tif 000009
【図８】
0003205280.tif 000010
【図９】
0003205280.tif 000011
【手続補正書】
【提出日】平成28年5月12日(2016.5.12)
【手続補正１】
【補正対象書類名】実用新案登録請求の範囲
【補正対象項目名】請求項５
【補正方法】変更
【補正の内容】
【請求項５】
分解式キットは、係合フックと係合溝を有し、
前記係合溝は、パッキンテープの間のスペーサーに隣接し、
前記パッキンテープの一端は、前記中枠の内側壁に固定され、反対端は、前記中枠の幾何中心へと延伸し、
前記係合フックは、「Ｌ」字型構造で、前記係合フックの第一辺は、前ネット或いは後ネットの端面に垂直に固定され、第二辺と前記前ネット或いは後ネットの端面は、平行で、前記第二辺の長さと前記スペーサーの長さは同じで、前記第二辺から前ネット或いは後ネット端面までの距離と前記パッキンテープの厚さは同じであることを特徴とする請求項４に記載の対流ファン。